(57)【要約】      （修正有）【課題】釣竿を釣竿保持部に設けた後、魚が餌に食いついた場合、釣竿が釣竿保持部に係止されて引きずられてしまうことを防止する係止部材が備えられた離脱防止用の釣竿の口栓の提供。【解決手段】離脱防止用の釣竿の口栓３０は、本体１００、連結部材２００、および係止部材３００からなり、連結部材２００は本体１００と係止部材３００の間に連結され釣竿１０の紛失を防止するために備えられる。釣竿１０を支持する釣竿保持部１は「Ｙ」字状に形成され、下端には係止部材３００が係止されるように係止孔が形成されている。魚が釣竿１０のエサに食いついて移動する際、釣竿が釣竿保持部１から離脱されると口栓の本体１００から連結部材２００で連結された係止部材３００が釣竿保持部１に係止されて保持できる。【選択図】図２
2016077297.tif 000002
【特許請求の範囲】
【請求項１】
円筒状の内部には収容部が形成され、開放された収容部の一側には固定部が締結して固定され、釣竿の取っ手の外側に脱着自在に、外周面に螺子山が形成された本体と、
一端が前記固定部の中央に形成された貫通溝を貫通して前記収容部の内部に備えられたストッパーの外周面に締結して固定され、伸縮性を有する材質で構成されたワイヤと、
一端が前記ワイヤの他端に連結して固定され、棒状で形成され、前記固定部に形成された前記貫通溝を通じて収容部に移動されるスティックと、
前記スティックの他端に締結して固定され、一側に磁石が備えられて前記本体に備えられた前記固定部の外側面に磁力で付着可能にし、釣竿が釣竿保持部から離脱されれば前記釣竿保持部に係止されるようにする係止部材と、
を含み、
前記係止部材は、内部に形成された空間部に設置して固定され、一定の範囲内で揺れが感知されれば作動される動きの感知センサーと、前記動きの感知センサーと電気的に連結され、前記動きの感知センサーが作動されればビープ音が出力されるようにするスピーカーと、前記スピーカーと電気的に連結されて前記スピーカーに電源を供給するバッテリーと、前記バッテリーからスピーカーへ供給される電源をオン（ｏｎ）／オフ（ｏｆｆ）するスイッチと、を含み、
前記スイッチは、前記係止部材の一側面から外部へ突出されるようにボタンが形成されるようにして、前記係止部材が本体と結合されれば前記ボタンが押されて電源がオフ（ｏｆｆ）され、前記係止部材が前記本体から離脱されれば前記ボタンが最初の位置へ移動され、電源がオン（ｏｎ）されるようにし、
前記係止部材は、周りの方向に一定の間隔に離隔するように備えられ、前記動きの感知センサーに電気的に連結され、前記動きの感知センサーの作動によって発光するＬＥＤを含み、
前記係止部材は、前記磁石が備えられた反対側の内周面に雌螺子山が形成され、前記雌螺子山には雄螺子山が備えられた照明灯が締結して固定され、前記照明灯は夜間の竿釣りにおいて、平常時には地面に向かって照明を照らして周辺を暗くし、魚が前記釣竿の餌に食いついて移動する際は、前記釣竿が水辺へ引きずられて前記係止部材が前記釣竿保持部に係止され、地面に向かって照らしていた照明が地面に対して水平に形成されることで周辺を明かすことを特徴とする離脱防止用の釣竿の口栓。
【発明の詳細な説明】
【技術分野】
【０００１】
本発明は、離脱防止用の釣竿の口栓に関し、より詳しくは、釣竿を釣竿保持部に設けた後、魚が餌に食いついた場合、釣竿が釣竿保持部に係止されて引きずられてしまうことを防止する離脱防止用の釣竿の口栓に関する。
【背景技術】
【０００２】
一般的に、竿釣りの際、特に、淡水釣りの場合には、一人が多数の釣竿を設けて置いてこれを観察しながら、魚が餌に食いついた釣竿を持ち上げることで魚を捕るようになる。このために、通常、Ｖ字状の釣竿保持部を地面に固定した上、これに釣竿を据え置きするようになる。
【０００３】
海釣りの場合には、随所に岩があるので、釣竿を岩間に挟んで固定することが容易であるのに対し、淡水釣りの場合には、このような自然石が殆どないので、前記Ｖ字状の釣竿保持部を使用するしかない。
【０００４】
このような釣竿保持部を使用する場合、魚が餌に食いついる前には釣竿が支持されているが、魚から当たりが来たり、餌に食いつくようになれば釣竿は流動してしまい、特に、大きな魚が餌に食いついた場合は、釣竿が水中へ引き込まれてしまうこともある。
【０００５】
このようなことが発生する理由は、一人の釣り人が同時に複数の釣竿を設けて置いて竿釣りをするからであり、更に、釣り人が目を離すようになれば釣竿を忘れてしまうこともあるような問題があった。
【先行技術文献】
【特許文献】
【０００６】
【特許文献１】韓国公開実用新案第２０−１９９９−００３６５５４号（１９９９年９月２７日公開）
【特許文献２】韓国登録特許第１０−０５５４０２５号（２００６年２月１４日登録）
【特許文献３】韓国登録実用新案第２０−０１７４１６８号（１９９９年１２月２７日登録）
【特許文献４】韓国登録実用新案第２０−０４４６８７１号（２００９年１１月２７日登録）
【発明の概要】
【発明が解決しようとする課題】
【０００７】
本発明は、釣竿の取っ手に係止部材が備えられた口栓が結合されたままで使用することで、別途の係止部材を携帯しなくても、必要に応じて磁石によって容易に分離されるようにして、係止部材の使用ができるようにする離脱防止用の釣竿の口栓を提供する。
【０００８】
また、本発明は、係止部材の内部に動きの感知センサーを取り付けることで、夜間の竿釣りの際に、魚が餌に食いついた状態で釣竿が動けばこれを感知して、スピーカーを通じて知らせる離脱防止用の釣竿の口栓を提供する。
【０００９】
本発明が解決しようとする様々な課題は、以上で言及した課題に限らず、言及されていない更に他の課題は、以下の記載から当業者にとって明確に理解できるだろう。
【課題を解決するための手段】
【００１０】
本発明に係る離脱防止用の釣竿の口栓は、円筒状の内部には収容部が形成され、開放された収容部の一側には固定部が締結して固定され、釣竿の取っ手の外側に脱着自在に、外周面に螺子山が形成された本体と、一端が固定部の中央に形成された貫通溝を貫通して収容部の内部に備えられたストッパーの外周面に締結して固定され、伸縮性を有する材質で構成されたワイヤと、一端がワイヤの他端に連結して固定され、棒状で形成され、固定部に形成された貫通溝を通じて収容部に移動されるスティックと、スティックの他端に締結して固定され、一側に磁石が備えられ、本体に備えられた固定部の外側面に磁力で付着可能にし、釣竿が釣竿保持部から離脱されれば釣竿保持部に係止されるようにする係止部材と、を含むことができる。
【００１１】
係止部材は、内部空間部が形成され、空間部の内部に設置して固定され、一定の範囲内で揺れが感知されれば作動される動きの感知センサーと、動きの感知センサーと電気的に連結され、動きの感知センサーが作動されればビープ音が出力されるようにするスピーカーと、スピーカーと電気的に連結されてスピーカーに電源を供給するバッテリーと、バッテリーからスピーカーへ供給される電源をオン（ｏｎ）／オフ（ｏｆｆ）するスイッチと、を含むことができる。
【００１２】
スイッチは、係止部材の一側面から外部へ突出されるようにボタンが形成されるようにして、係止部材が本体と結合されればボタンが押されて電源がオフ（ｏｆｆ）され、係止部材が本体から離脱されればボタンが最初の位置へ移動され、電源がオン（ｏｎ）されるようにすることができる。
【００１３】
係止部材は、周りの方向に一定の間隔に離隔するように備えられ、動きの感知センサーに電気的に連結され、動きの感知センサーの作動によって発光するＬＥＤを含むことができる。
【００１４】
係止部材は、磁石が備えられた反対側の内周面に雌螺子山が形成され、雌螺子山には雄螺子山が備えられた照明灯が締結して固定され、照明灯は夜間の竿釣りにおいて、平常時には地面に向かって照明を照らして周辺を暗くし、魚が釣竿の餌に食いついて移動する際は、釣竿が水辺へ引きずられて係止部材が釣竿保持部に係止され、地面に向かって照らしていた照明が地面に対して水平に形成されることで周辺を明かすことができる。
【００１５】
その他の実施例の具体的な事項は、詳細な説明及び図面に含まれている。
【発明の効果】
【００１６】
本発明に係る離脱防止用の釣竿の口栓は、釣竿の取っ手に係止部材が備えられた口栓が結合したままで使用することによって、別途の係止部材を携帯しなくても、必要に応じて磁石によって容易に分離できるようにする効果がある。
【００１７】
また、本発明に係る離脱防止用の釣竿の口栓は、係止部材の内部に動きの感知センサーを取り付けることによって、夜間の竿釣りにおいて、魚が餌に食いついた状態で釣竿が動けば、これを感知してスピーカーを通じて知らせる効果がある。
【００１８】
本発明の多様な実施例は、具体的に言及されていない様々な効果を提供できるということが十分に理解できるだろう。
【図面の簡単な説明】
【００１９】
【図１】本発明に係る離脱防止用の釣竿の口栓が結合された釣竿を示す斜視図である。
【図２】本発明に係る離脱防止用の釣竿の口栓の釣竿が釣竿保持部に設けられた状態を示す側面図である。
【図３】本発明に係る離脱防止用の釣竿の口栓の分解斜視図である。
【図４】本発明に係る離脱防止用の釣竿の口栓が結合された状態の切開斜視図である。
【図５】本発明に係る離脱防止用の釣竿の口栓が結合された状態の正端面図である。
【図６】本発明に係る離脱防止用の釣竿の口栓の係止部材を拡大して示す断面図である。
【図７】本発明に係る離脱防止用の釣竿の口栓の係止部材に照明灯が取り付いた状態を示す断面図である。
【図８】本発明に係る離脱防止用の釣竿の口栓の図７の使用状態を示す断面図である。
【発明を実施するための形態】
【００２０】
本発明の利点及び特徴、並びにそれらを達成する方法は、添付の図面と共に詳細に後述されている実施例を参照すれば明確になるだろう。しかし、本発明は、ここで説明される実施例に限らず、他の形態で具体化され得る。むしろ、ここで紹介する実施例は、開示された内容が徹底かつ完全になるように、さらに本発明の思想が当業者へ十分に伝えられるようにするために提供されたのである。図面において、レイヤー及び領域の厚さは、明確性を期するために誇張されている。
【００２１】
第１、第２等の用語は、多様な構成要素を説明する時に使用できるが、前記構成要素は、前記用語によって限定されるわけではない。前記用語は一つの構成要素を他の構成要素と区別するための目的としてのみ使用される。例えば、本発明の権利範囲を超えずに第１の構成要素は第２の構成要素と称することができ、これと同様に、第２の構成要素は第１の構成要素と称することができる。
【００２２】
上端、下端、上面、下面、または上部、下部などの用語は、構成要素において相対的な位置を区別するために使用されるものである。例えば、便宜上、図面上の上方を上部、図面上の下方を下部と称する場合、実際には、本発明の権利範囲を超えずに上部は下部と称することができ、下部は上部と称することができる。
【００２３】
本願において使用している用語は、単に、特定の実施例を説明するために使用されたものであって、本発明を限定しようとする意図はない。単数の表現は文脈上に明らかに相違しない限り、複数の表現を含む。本願において、「含む」または「有する」などの用語は、明細書上に記載されている特徴、数字、段階、動作、構成要素、部分品、またはこれらを組み合わせたものが存在していることを指定するためのものであって、一つまたはそれ以上の他の特徴や数字、段階、動作、構成要素、部品、またはこれらを組み合わせたものの存在または付加の可能性を予め排除しないものと理解されたい。
【００２４】
異なるように定義されない限り、技術的または科学的な用語を含み、ここで使用されている全ての用語は、本発明が属する技術分野で通常の知識を有する者によって一般的に理解されるものと同じ意味がある。一般的に使用されている、予め定義されているような用語は、関連技術の文脈上に有する意味と一致する意味があると解釈されたく、本願において、明らかに定義しない限り、理想的であるか、過度に形式的な意味とは解釈されない。
【００２５】
以下、添付の図面を参照しながら、本発明に係る離脱防止用の釣竿の口栓に対する好ましい実施例について更に詳しく説明する。
【００２６】
図１は、本発明に係る離脱防止用の釣竿の口栓が結合された釣竿を示す斜視図であり、図２は、本発明に係る離脱防止用の釣竿の口栓の釣竿が釣竿保持部に設けられた状態を示す側面図であり、図３は、本発明に係る離脱防止用の釣竿の口栓の分解斜視図であり、図４は、本発明に係る離脱防止用の釣竿の口栓が結合された状態の切開斜視図であり、図５及び図６は、本発明に係る離脱防止用の釣竿の口栓が結合された状態の正端面図であり、図７は、本発明に係る離脱防止用の釣竿の口栓の係止部材に照明灯が取り付いた状態を示す断面図であり、図８は、本発明に係る離脱防止用の釣竿の口栓の図７の使用状態を示す断面図である。
【００２７】
図１ないし図８を参照すれば、水辺に広がった釣竿１０を支持する釣竿保持部１は「Ｙ」字状に形成され、下端には係止部材３００が係止されるようにする係止孔２が形成され、係止孔２には連結部材２００が係止されて支持されることができる。つまり、魚が釣竿１０の餌に食いついて移動する際は、釣竿１０が釣竿保持部１から離脱して水辺に入水されるところ、これを防止するために係止部材３００が使用される。本発明に係る離脱防止用の釣竿の口栓３０は、本体１００、連結部材２００、及び係止部材３００を含むことができる。
【００２８】
本体１００は、一側が開放された円筒状の内部に収容部１１０が形成され、釣竿の取っ手２０の部分の後方に螺子で締結して固定され得る。本体１００は、一側の内周面に挿入される固定部１２０が螺子方式で締結して固定され得る。
【００２９】
固定部１２０は、本体１００の内部に形成された収容部１１０に保管される連結部材２００の構成が破損されたり、修理が必要な場合、収容部１１０から容易に離脱できるようにナットの形態で形成され得る。固定部１２０は、連結部材２００が収容部の内部または外部に移動されるように、中央に貫通溝１２１が形成され得る。
【００３０】
連結部材２００は、本体１００と係止部材３００との間に連結され、釣竿１０の紛失を防止するために備えられ得る。連結部材２００は、ストッパー２１０、ワイヤ２２０、スティック２３０、及び支持片２４０を含むことができる。
【００３１】
ストッパー２１０は、収容部１１０の内部に位置し、固定部１２０に形成された貫通溝１２１より大きい球状で形成され、連結部材２００の構成が本体１００に固定して支持するために備えられ得る。
【００３２】
ワイヤ２２０は、一端が固定部１２０の中央に形成された貫通溝１２１を貫通して収容部１１０の内部に備えられたストッパー２１０の外周面に締結して固定され得る。ワイヤ２２０は、伸縮性を有するゴム材質で構成され得るが、必ずしもこれに限られるわけではない。ワイヤ２２０は、固定部１２０に形成された貫通溝１２１を通じて移動され、釣竿の未使用時には収容部１１０に保管され、釣竿の使用時には収容部１１０の外部に移動され得る。この際、ストッパー２１０によってワイヤ２２０が固定部１２０の外部に離脱されずに固定して支持され得る。
【００３３】
スティック２３０は、一端がワイヤ２２０の他端に連結して固定され、棒状で形成され、固定部１２０に形成された貫通溝１２１を通じて収容部１１０に移動され得る。スティック２３０は、自在に屈曲されるように伸縮性を有するワイヤ２２０を貫通溝１２１を通じて収容部１１０の内部に挿入させるために備えられ得る。つまり、釣りが終わった後、釣竿を片付けるために係止部材３００が本体１００の一側に固定されれば、外部に露出されたワイヤ２２０を収容部１１０の内部に移動させて保管しなければならないが、この際、スティック２３０の一端を先に貫通溝１２１に挿入させれば、スティック２３０に固定されたワイヤ２２０の他端が同時に引きずられて収容部１１０の内部に挿入される。
【００３４】
支持片２４０は、係止部材３００に形成された空間部３２０の内部に位置し、スティック２３０の他端が結合され、スティック２３０を固定して支持するために備えられ得る。
【００３５】
係止部材３００は、釣竿１０を支持する釣竿保持部１から釣竿１０の離脱時に釣竿保持部１の下端に形成された係止孔２に係止され、釣竿１０の離脱を防止するために備えられ得る。係止部材３００は、円筒状の内部に空間部３２０が形成され、一側には固定部１２０と磁力によって密着して固定されるように磁石３１０が備えられ得る。
【００３６】
磁石３１０は、螺子結合のような複雑な締結構造を使用しなくても、係止部材３００を本体１００に容易に取り付くことを可能にする。つまり、本体１００に取り付いた係止部材３００を小さな力でも容易に離脱可能にし、逆に、本体１００に係止部材３００を結合する際、本体１００に近接して移動すると磁力によってくっついて固定して支持され得る。
【００３７】
また、係止部材３００は、磁石３１０が備えられた反対側の内周面に雌螺子山３３０が形成され、雌螺子山３３０には雄螺子山９１０が備えられた照明灯９００が締結して固定され得る。つまり、夜間の竿釣りにおいて、平常時には地面に向かって照明を照らして周辺を暗くし、魚が釣竿１０の餌に食いついて移動する際は、釣竿１０が水辺に引きずられ、係止部材３００が釣竿保持部１に係止されて地面に向かって照らしていた照明が地面に対して水平に形成されることで周辺を明かす。一方、周辺が明るくなると、他の用務があったユーザーは照明灯から発光する光を認知し、釣竿１０に近づいて餌に食いついている魚を捕ることができる。
【００３８】
照明灯９００の未使用時には係止部材３００の空間部３２０を密閉するために、キャップ３４０が締結して固定され得る。
【００３９】
係止部材３００は、未図示であるが、動きの感知センサー、スピーカー、バッテリー、スイッチ、及びＬＥＤを含むことができる。
【００４０】
前記動きの感知センサーは、係止部材３００の空間部に設置して固定され、係止部材３００が一定範囲の内で揺れるようになれば作動され得る。前記動きの感知センサーの構成及び原理は、当該技術分野で通常の知識を持った者にとって公知の技術であるところ、本発明の一実施例では具体的な説明は省略する。
【００４１】
前記スピーカーは、前記動きの感知センサーと電気的に連結され、前記動きの感知センサーが作動されればビープ音が出力され得る。また、係止部材３００の内部に設けられた前記スピーカーのビープ音が外部でも聞こえるように、係止部材３００の外周面に複数の通空（未図示）が形成され得る。
【００４２】
前記バッテリーは、前記スピーカーと前記ＬＥＤに電気的に連結され、電源を供給するために備えられ得る。
【００４３】
前記スイッチは、前記バッテリーと電気的に連結され、前記バッテリーから前記スピーカー及び前記ＬＥＤへ供給される電源をオン（ｏｎ）／オフ（ｏｆｆ）するために備えられ得る。前記スイッチは、係止部材３００の一側面から外部へ突出されるようにボタンが形成され、前記ボタンは、係止部材３００が本体１００と結合されれば押されるように備えられ得る。つまり、係止部材３００が本体１００と結合されれば、前記ボタンが押されて電源がオフ（ｏｆｆ）され、前記スピーカー及び前記ＬＥＤへ供給される電源が遮断され、係止部材３００が本体１００から離脱されれば、前記ボタンが最初の位置へ移動され、電源がオン（ｏｎ）されるようにして、前記動きの感知センサーによって前記スピーカー及び前記ＬＥＤへ電源が供給されるようにする。
【００４４】
前記ＬＥＤは、係止部材３００の周りの方向に一定の間隔に離隔して備えられ、前記動きの感知センサーと電気的に連結されて前記動きの感知センサーの作動によって発光され得る。
【００４５】
以上のように、本発明に係る離脱防止用の釣竿の口栓３０は、魚類の捕獲のための釣竿保持部の実際の使用時に、捕獲された魚類の動きによって釣竿が前方に移動され、これと同時に釣竿保持部に伝達される力を支持棒が吸収することで、埋設棒が地面に堅固な埋設状態を保持するようにして、釣竿の紛失を予防すると共に、回収作業を容易にすることができるので、ユーザーにとって更に楽しい魚類の捕獲が可能になる。
【００４６】
以上、添付の図面を参照しながら本発明の好ましい実施例について説明したところ、本発明が属する技術分野で通常の知識を持った者ならば、本発明がその技術的思想や必須的な特徴を変更せずに、他の具体的な形態で実施できるということが理解できるだろう。よって、以上で記述した実施例は全ての側面において例示的なものであり、限定的なものではないと理解されたい。
【符号の説明】
【００４７】
１  釣竿保持部
２  係止孔
１０  釣竿
２０  取っ手
３０  口栓
１００  本体
１１０  収容部
１２０  固定部
１２１  貫通溝
２００  連結部材
２１０  ストッパー
２２０  ワイヤ
２３０  スティック
２４０  支持片
３００  係止部材
３１０  磁石
３２０  空間部
３３０  雌螺子山
９００  照明灯
９１０  雄螺子山
【図１】
2016077297.tif 000003
【図２】
2016077297.tif 000004
【図３】
2016077297.tif 000005
【図４】
2016077297.tif 000006
【図５】
2016077297.tif 000007
【図６】
2016077297.tif 000008
【図７】
2016077297.tif 000009
【図８】
2016077297.tif 000010